(57)【要約】      （修正有）【課題】股下部のフィット性が高い使い捨ておむつを提供する。【解決手段】使い捨ておむつは，前身頃１，後身頃２，及び股下部３に長手方向に区分され，股下部３から前身頃１及び後身頃２に亘って配置された吸収性本体３０を備える。吸収性本体３０は，吸収体３１と，吸収体３１の肌対向面側に配置されたトップシート３２と，吸収体３１の肌非対向面側に配置されたバックシート３３と，吸収体３１の肌非対向面側に配置された複数の弾性伸縮部材とを有する。複数の弾性伸縮部材は，股下部３から前身頃１及び後身頃２に亘って配置された第１伸縮部材３４及び第２伸縮部材３５を含み，第１伸縮部材３４と第２伸縮部材３５は，前身頃１及び後身頃２において交差している。【選択図】図２
2018202023.tif 000002
【特許請求の範囲】
【請求項１】
着用者の腹部に接する前身頃（１），着用者の背部に接する後身頃（２），及び前記前身頃（１）と前記後身頃（２）の間に位置する股下部（３）に長手方向に区分され，
前記股下部（３）から前記前身頃（１）及び前記後身頃（２）に亘って配置された吸収性本体（３０）を備えた使い捨ておむつであって，
前記吸収性本体（３０）は，
吸収体（３１）と，
前記吸収体（３１）の肌対向面側に配置されたトップシート（３２）と，
前記吸収体（３１）の肌非対向面側に配置されたバックシート（３３）と，
前記吸収体（３１）の肌非対向面側に配置された複数の弾性伸縮部材と，を有し，
前記複数の弾性伸縮部材は，前記股下部（３）から前記前身頃（１）及び前記後身頃（２）に亘って配置された第１伸縮部材（３４）及び第２伸縮部材（３５）を含み，
前記第１伸縮部材（３４）と前記第２伸縮部材（３５）は，前記前身頃（１）及び前記後身頃（２）において交差している
使い捨ておむつ。
【請求項２】
前記第１伸縮部材（３４）は，前記吸収体（３１）の左側縁寄りの領域に前端部（３４ａ）及び後端部（３４ｂ）が位置し，前記股下部（３）における前記吸収体（３１）の右側縁寄りの領域に頂点部（３４ｃ）が位置するように湾曲又は屈曲した形状であり，
前記第２伸縮部材（３５）は，前記吸収体（３１）の右側縁寄りの領域に前端部（３５ａ）及び後端部（３５ｂ）が位置し，前記股下部（３）における前記吸収体（３１）の右側縁寄りの領域に頂点部（３５ｃ）が位置するように湾曲又は屈曲した形状である
請求項１に記載の使い捨ておむつ。
【請求項３】
前記複数の弾性伸縮部材は，前記第１伸縮部材（３４）及び前記第２伸縮部材（３５）によって囲われた囲繞領域（３７）内に，前記長手方向への伸長状態で配置された一又は複数の第３伸縮部材（３６）をさらに含む
請求項２に記載の使い捨ておむつ。
【請求項４】
前記使い捨ておむつは，
前記吸収性本体（３０）の前記前身頃（１）の端部が固定された前身頃外装体（１０）と，
前記吸収性本体（３０）の前記前身頃（１）の端部が固定された後身頃外装体（２０）と，をさらに備え，
前記前身頃外装体（１０）と前記後身頃外装体（２０）は互いに分離しており，
前記前身頃外装体（１０）と前記後身頃外装体（２０）のそれぞれは，
幅方向の左右両端部において互いに対向する部分が接合されたサイドシール部（１１，２１）と，
幅方向の左右両端部に前記サイドシール部（１１，２１）が形成された本体領域（１２，２２）と，
前記本体領域（１２，２２）から前記股下部（３）の方向に向かって延出した延出領域（１３，２３）と，を有しており，
前記第１伸縮部材（３４）と前記第２伸縮部材（３５）の前身頃側の交点（Ｐ１）と後身頃側の交点（Ｐ）は，それぞれ前記前身頃外装体（１０）の本体領域（１２）と前記後身頃外装体（２０）の本体領域（２２）と厚み方向に重なっている
請求項１から請求項３のいずれかに記載の使い捨ておむつ。
【請求項５】
前記第３伸縮部材（３６）は，前記前身頃外装体（１０）の延出領域（１３）と前記後身頃外装体（２０）の延出領域（２３）に達するように配置されている
請求項３を引用する請求項４に記載の使い捨ておむつ。
【発明の詳細な説明】
【技術分野】
【０００１】
本発明は，着用者の股下に装着され，尿などの液体を吸収し保持するための使い捨ておむつに関する。
【背景技術】
【０００２】
従来から，乳幼児用や高齢者用の使い捨てのおむつが知られている。使い捨ておむつの型には様々なものがあり，例えば，パンツ型の使い捨ておむつや，テープ型の使い捨ておむつが知られている（特許文献１，特許文献２，及び特許文献３）。これらの使い捨ておむつは，着用者の腹部に接する前身頃，着用者の背部に接する後身頃，及びこれらの間に位置し着用者の股下に接する股下部に区分される。
【０００３】
パンツ型の使い捨ておむつは，前身頃と後身頃の両側部が予め接合されたタイプの使い捨ておむつである。パンツ型使い捨ておむつとしては，吸収性本体が載置される外装体が前身頃から後身頃に掛けて一体となった一体型（特許文献１）や，外装体が前身頃及び後身頃で分離され，前身頃外装体と後身頃外装体の間に吸収性本体が架け渡すように連結された分離型（特許文献２）が知られている。また，テープ型の使い捨ておむつは，前身頃又は後身頃の両側部に接着テープが取り付けられ，着用時に接着テープを利用して前身頃と後身頃を接着させるタイプの使い捨ておむつである（特許文献３）。
【先行技術文献】
【特許文献】
【０００４】
【特許文献１】特開２００９−２５４６６２号公報
【特許文献２】特開２０１０−２３３７３３号公報
【特許文献３】特開２００５−３２３６８５号公報
【発明の概要】
【発明が解決しようとする課題】
【０００５】
ところで，使い捨ておむつは，パンツ型及びテープ型のいずれであっても，股下部が着用者の肌に密着しにくい構造となっている。使い捨ておむつの股下部が着用者の肌から浮いた状態であると，この股下部において見栄えが悪くなるとともに，着用者の動きも制限されて着心地が悪くなるという問題がある。また，着用者が排泄すると，使い捨ておむつの股下部付近に尿や便が吸収されるため，その股下部が重く垂れ下がり，着用者の肌から離れることとなる。
【０００６】
また，乳幼児向けの使い捨ておむつを考えた場合，股下部の内面側が着用者の肌に接しないものであると，乳幼児は自身が排尿又は排便したことに気が付きにくくなる。このため，乳幼児に対して排泄の調整の仕方を教育するためには，排泄時に乳幼児に対してある程度の不快感を与える必要がある。このような観点からも，着用者の肌に対する股下部のフィット性を高めることが求められている。
【０００７】
そこで，本発明は，股下部のフィット性が高い使い捨ておむつを提供することを目的とする。
【課題を解決するための手段】
【０００８】
本発明の発明者は，上記従来発明の問題を解決する手段について鋭意検討した結果，吸収体の肌非対向面側に股下部から前身頃及び後身頃に亘って長手方向に複数の弾性伸縮部材を配置し，少なくとも２本の弾性伸縮部材を前身頃及び後身頃において交差させることにより，使い捨ておむつの股下部におけるフィット性を高めることができるという知見を得た。そして，上記知見に基づけば，従来技術の課題を解決できることに想到し，本発明を完成させた。具体的に説明すると，本発明は以下の構成を有する。
【０００９】
本発明は，使い捨ておむつに関する。本発明は，パンツ型及びテープ型のいずれの使い捨ておむつであっても適用することができる。本発明に係る使い捨ておむつは，着用者の腹部に接する前身頃１，着用者の背部に接する後身頃２，及びこれらの間に位置する股下部３に長手方向に区分される。また，使い捨ておむつは，股下部３から前身頃１及び後身頃２に亘って配置された吸収性本体３０を備えている。吸収性本体３０は，吸収体３１と，吸収体３１の肌対向面側に配置されたトップシート３２と，吸収体３１の肌非対向面側に配置されたバックシート３３と，吸収体３１の肌非対向面側に配置された複数の弾性伸縮部材とを有する。なお，この弾性伸縮部材は，少なくとも一部が吸収性３１に重なっていればよく，部分的に吸収体３１と重なっていない部分があってもよい。ここで，複数の弾性伸縮部材は，股下部３から前身頃１及び後身頃２に亘って配置された第１伸縮部材３４及び第２伸縮部材３５を含む。これらの第１伸縮部材３４と第２伸縮部材３５は，前身頃１及び後身頃２において交差している。つまり，第１伸縮部材３４と第２伸縮部材３５は，前身頃側の交点Ｐ１と後身頃側の交点Ｐ２を有している。
【００１０】
上記構成のように，吸収体３１の肌非対向面側に股下部３を中心として前身頃１及び後身頃２に達する長さで複数の伸長状態の弾性伸縮部材を配置しておくことにより，この弾性伸縮部材が収縮したときに股下部３が上方へと引き上げられるようになる。さらに，この股下部３に配置された複数の弾性伸縮部材（第１伸縮部材３４，第２伸縮部材３５）を前身頃１と後身頃２においてそれぞれ交差させることで，この交点において使い捨ておむつが着用者の肌に密着しやすくなる。このため，おむつのフィット性や，この弾性伸縮部材による股下部の引き上げ効果がさらに向上する。これにより，股下部において見栄えが良くなるとともに，使い捨ておむつの着用感が良化される。また，着用者が排泄し股下部が重くなった場合でも，弾性伸縮部材によってその重量を支えることができる。また，排泄後も股下部が着用者の肌に密着し，着用者に一定の不快感を与えることができるため，例えば乳幼児用のトレーニングパンツとしても有効に活用できる。
【００１１】
本発明において，第１伸縮部材３４は，吸収体３１の左側縁寄りの領域に前端部３４ａ及び後端部３４ｂが位置し，股下部３における吸収体３１の右側縁寄りの領域に頂点部３４ｃが位置するように湾曲又は屈曲した形状であることが好ましい。また，第２伸縮部材３５は，吸収体３１の右側縁寄りの領域に前端部３５ａ及び後端部３５ｂが位置し，股下部３における吸収体３１の右側縁寄りの領域に頂点部３５ｃが位置するように湾曲又は屈曲した形状であることが好ましい。これらの第１伸縮部材３４と第２伸縮部材３５は，頂点部３４ｃ，３５ｃが一つのみの曲線（円弧状）であるか，もしくは頂点部３４ｃ，３５ｃが一つのみの折線であることが好ましい。
【００１２】
上記構成のように，第１伸縮部材３４と第２伸縮部材３５を曲線状又は折線状に配置することで，吸収体３１の肌非対向面の広い範囲に弾性伸縮部材が位置することとなる。これにより，吸収体３１を着用者の肌に対してより密着させることができる。
【００１３】
本発明において，複数の弾性伸縮部材は，第１伸縮部材３４及び第２伸縮部材３５によって囲われた囲繞領域３７内に，長手方向への伸長状態で配置された一又は複数の第３伸縮部材３６をさらに含むことが好ましい。なお，この囲繞領域３７は，吸収体３１の股下部３を中心に形成されることとなる。
【００１４】
上記構成のように，囲繞領域３７内に第３伸縮部材３６を配置することで，吸収体３１の特に股下部３近傍を着用者の肌に対してより密着させることができる。特に，排泄後の吸収体３１の重量を第３伸縮部材３６の収縮力によって支えることができる。
【００１５】
本発明に係る使い捨ておむつの好ましい実施形態は，分離型の使い捨ておむつである。分離型の使い捨ておむつは，吸収性本体３０の前身頃１の端部が固定された前身頃外装体１０と，吸収性本体３０の前身頃１の端部が固定された後身頃外装体２０をさらに備えることが好ましい。この場合に，前身頃外装体１０と後身頃外装体２０は互いに分離している。また，前身頃外装体１０と後身頃外装体２０のそれぞれは，幅方向の左右両端部において互いに対向する部分が接合されたサイドシール部１１，２１と，幅方向の左右両端部にサイドシール部１１，２１が形成された本体領域１２，２２と，本体領域１２，２２から股下部３の方向に向かって延出した延出領域１３，２３とを有している。この場合に，第１伸縮部材３４と第２伸縮部材３５の前身頃側の交点Ｐ１と後身頃側の交点Ｐ２は，それぞれ前身頃外装体１０の本体領域１２と後身頃外装体２０の本体領域２２と厚み方向に重なっていることが好ましい。
【００１６】
上記構成のように，第１伸縮部材３４と第２伸縮部材３５の交点Ｐ１，Ｐ２を前身頃外装体１０と後身頃外装体２０の本体領域１２，２２に位置させることで，前身頃外装体１０と後身頃外装体２０が着用者の肌に対してより密着するようになる。これにより，第１伸縮部材３４と第２伸縮部材３５を効果的に利用して使い捨ておむつ全体のフィット性を高めることができる。
【００１７】
本発明において，第３伸縮部材３６は，前身頃外装体１０の延出領域１３と後身頃外装体２０の延出領域２３に達するように配置されていることが好ましい。つまり，第３伸縮部材３６の前端部３６ａが前身頃外装体１０の延出領域１３に重なり，第３伸縮部材３６の後端部３６ｂが後身頃外装体２０の延出領域２３に重なる。
【００１８】
上記構成のように，第３伸縮部材３６を前身頃外装体１０と後身頃外装体２０の延出領域１３，２３に達する長さで配置することで，これらの延出領域１３，２３が着用者の肌に密着しやすくなる。
【発明の効果】
【００１９】
本発明によれば，股下部のフィット性が高い使い捨ておむつを提供することができる。
【図面の簡単な説明】
【００２０】
【図１】図１は，本発明に係る使い捨ておむつの例を示した外観斜視図である。
【図２】図２は，本発明に係る使い捨ておむつの例を示した展開図である。
【図３】図３は，使い捨ておむつの長手方向縦断面図である。
【図４】図４（ａ）は，吸収性本体を肌対向面側からみた状態を示しており，図４（ｂ）は，吸収性本体を肌非対向面側からみた状態を示している。
【図５】図５は，吸収性本体の幅方向横断面図である。
【発明を実施するための形態】
【００２１】
以下，図面を用いて本発明を実施するための形態について説明する。本発明は，以下に説明する形態に限定されるものではなく，以下の形態から当業者が自明な範囲で適宜変更したものも含む。
【００２２】
本願明細書において，「長手方向」とは，使い捨ておむつの前身頃と後身頃とを結ぶ方向を意味する。また，「幅方向」とは，長手方向に平面的に直交する方向を意味する。本願の図において，「長手方向」はＹ軸で示され，「幅方向」はＸ軸で示されている。
本願明細書において，「肌対向面」とは，使い捨ておむつの着用時において，着用者の肌に向かい合う面を意味する。また，「肌非対向面」とは，使い捨ておむつの着用時において，着用者の肌に向かい合わない面，すなわち肌対向面の反対側の面を意味する。
本願明細書において，「Ａ〜Ｂ」とは，「Ａ以上Ｂ以下」であることを意味する。
【００２３】
本発明は，例えば，公知のパンツ型の使い捨ておむつ及びテープ型の使い捨ておむつに広く適用可能である。パンツ型の使い捨ておむつとは，前身頃と後身頃の両側部が予め接合されたタイプの使い捨ておむつである（例えば特許文献１）。また，テープ型の使い捨ておむつとは，前身頃又は後身頃の両側部に接着テープが取り付けられ，着用時に接着テープを利用して前身頃と後身頃を接着させるタイプの使い捨ておむつである（例えば特許文献３）。また，パンツ型の使い捨ておむつには，前身頃から後身頃にかけて外装体が一体になった一体タイプのもの（例えば特許文献１）や，前身頃の外装体と後身頃の外装体が分離した分離タイプのもの（例えば特許文献２）がある。以下では，これらの種々のタイプの使い捨ておむつのうち，分離タイプのパンツ型使い捨ておむつを例に挙げて，本発明の内容を具体的に説明する。
【００２４】
図１は，使い捨ておむつ１００を前身頃側から見た例を示す外観斜視図である。また，図２は，使い捨ておむつの例を示す展開図である。図２の展開図に示されるように，使い捨ておむつ１００は，その長手方向に，装着時に着用者の腹部に接する前身頃１と，着用者の背部に接する後身頃２と，着用者の股下にあてがわれる股下部３とに区分される。本実施形態において，使い捨ておむつ１００は，前身頃外装体１０によって前身頃１が構成され，後身頃外装体２０によって後身頃２が構成される。そして，前身頃外装体１０と後身頃外装体２０の間の股下部３には，吸収性本体３０が架け渡すように配置されている。つまり，吸収性本体３０の前身頃１側の端部は，前身頃外装体１０に固定され，吸収性本体３０の後身頃２側の端部は，後身頃外装体２０に固定されている。吸収性本体３０を，前身頃外装体１０と後身頃外装体２０に固定する手段は，公知の方法を用いることができる。例えば，ホットメルト接着剤やその他流動性のある接着剤を用いた固定方法に固定することとしてもよいし，ヒートシールのような熱溶着や超音波溶着により固定することとしてもよい。
【００２５】
図２に示された展開状態から，前身頃外装体１０と後身頃外装体２０の幅方向両端部を接合することにより，図１に示される状態に組み上がる。すなわち，前身頃外装体１０と後身頃外装体２０は，幅方向両側縁に位置するサイドシール部１１，２１において互いに接合されることによって，前身頃外装体１０及び後身頃外装体２０が環状に繋がる。このため，図１に示されるように，装着時に着用者の腰周りに位置するウエスト開口部４と，装着時に着用者の脚部周りに位置するレッグ開口部５が形成される。着用者は，その腹部が前身頃外装体１０に接触し，背部が後身頃外装体２０に接触するようにして，ウエスト開口部４からに両脚部を入れ，それぞれの脚部をレッグ開口部５から出すことで，使い捨ておむつ１００を装着することができる。
【００２６】
また，図２に示されるように，本実施形態において，前身頃外装体１０と後身頃外装体２０には，それぞれクッション部４０が形成されている。クッション部４０は，ウエスト開口部４を形成する端縁に沿って，幅方向に延びるように形成されたものである。クッション部４０は，複数のウエスト伸縮部材４３（弾性伸縮部材）を含む。また，クッション部４０には，複数のタミー伸縮部材４６（弾性伸縮部材）が含まれていてもよい。複数のウエスト伸縮部材４３は，ウエスト開口部４の開口縁に相当する前身頃外装体１０の端部と後身頃外装体２０の端部に沿って，使い捨ておむつの幅方向に延びている。複数のウエスト伸縮部材４３は，伸長状態で固定されており，この複数のウエスト伸縮部材４３が収縮することにより，ウエスト開口部４近傍に，ウエストギャザーが形成される。また，複数のタミー伸縮部材４６は，ウエスト伸縮部材４３よりも股下部寄りの位置において，幅方向に沿って延びている。複数のタミー伸縮部材４６は，伸長状態で固定されており，この複数のタミー伸縮部材４６が収縮することにより，タミーギャザーが形成される。なお，図２に示されるように，タミー伸縮部材４６は，吸収性本体３０重なる部分において切断することにより収縮力を失わせることが好ましい。これにより，タミー伸縮部材４６が収縮したときに，吸収性本体３０が撓むことを回避できる。
【００２７】
続いて，吸収性本体３０の構造について詳しく説明する。図３は，図２に示したIII−III線における長手方向縦断面図を示しており，図４は，吸収性本体３０を肌対向面側（ａ）と肌非対向面側（ｂ）から見た状態を並べて示しており，図５は，図４におけるV−V線における幅方向横断面図を示している。
【００２８】
吸収性本体３０は，前身頃外装体１０と後身頃外装体２０の間に架け渡された状態で保持され，使い捨ておむつ１００の着用時おいて，着用者の股下部に位置し，着用者が排泄した尿などの液体を吸収保持する。吸収性本体３０は，使い捨ておむつの股下部３を中心に，前身頃１及び後身頃２にかけて配置される。吸収性本体３０は，吸収体３１，トップシート３２，バックシート３３，第１伸縮部材３４，第２伸縮部材３５，第３伸縮部材３６，カバーシート３８，サイドシート３９，立体ギャザー伸縮部材６１，及びレッグ伸縮部材６２を備えている。
【００２９】
吸収体３１は，尿などの液体を吸収し，吸収した液体を保持するための部材である。吸収体３１は，液透過性のトップシート３２と，液不透過性のバックシート３３の間に配置される。吸収体３１は，トップシート３２を透過した液体を吸収する機能を有し，吸収性材料により構成される。吸収体３１を構成する吸収性材料には，公知の材料を採用することができる。吸収性材料としては，例えば，フラップパルプ，高吸収性ポリマー，又は親水性シートを用いることとしてもよい。吸収体３１は，コアラップシート３１ａよって，被包することが好ましい。コアラップシート３１ａとしては，ティシュペーパー，吸収紙，親水化処理を行った不織布等を適宜用いることができる。
【００３０】
トップシート３２は，着用者の股下部の肌に直接接し，尿などの液体を吸収体３１へ透過させるための部材である。このため，トップシート３２は，柔軟性が高い液透過性材料で構成される。また，トップシート３２は，吸収体３１の肌当接面側を被覆するように配置される。トップシート３２を構成する液透過性材料の例は，織布，不織布，又は多孔性フィルムである。また，トップシート３２としては，例えばポリプロピレンやポリエチレン，ポリエステル，ナイロンのような熱可塑性樹脂の繊維を親水化処理してさらに不織布にしたものを用いることとしてもよい。
【００３１】
バックシート３３は，トップシート３２を透過し吸収体３１に吸収された液体が，おむつの外側へ漏出することを防止するための部材である。このため，バックシート３３は，液不透過性材料によって構成される。バックシート３３は，吸収体３１の底面からの液漏れを防止するため，吸収体３１を肌非当接面側から被覆する。バックシート３３を構成する不透過材料の例は，ポリエチレン樹脂からなる液不透過性のフィルムである。特に，０．１〜４μｍの微細な孔が複数形成された微多孔性ポリエチレンフィルムを用いることが好ましい。
【００３２】
カバーシート３８は，バックシート３３の肌非対向面側を被覆することによってバックシート３３を補強し，かつ，その手触りを良くするための部材である。カバーシート３８を構成する材料としては，織布や不織布が用いられる。特に，カバーシート３８を構成する材料として，ポリエチレン，ポリプロピレン，ポリエステルのような熱可塑性樹脂からなる不織布又は湿式不織布を用いることが好ましい。
【００３３】
第１伸縮部材３４，第２伸縮部材３５，及び第３伸縮部材３６は，吸収体３１の肌非対向面側に配置される弾性伸縮部材である。各伸縮部材３４〜３６は，吸収性本体３０を着用者の肌に当接する方向に向かって引き上げることで，吸収性本体３０と着用者の肌との密着性を高めることを目的として配置されている。各伸縮部材３４〜３６は，使い捨ておむつの長手方向に伸長した状態で，吸収体３１の肌非対向面側に位置するシート部材に固定されている。このため，各伸縮部材３４〜３６が収縮すると，その収縮力によって吸収性本体３０全体が上方に引き上げられるように作用する。第１伸縮部材３４，第２伸縮部材３５，及び第３伸縮部材３６は，それぞれ１本ずつ設けることととしてもよいし，それぞれ複数本ずつ設けることとしてもよい。図２等に示した例では，第１伸縮部材３４と第２伸縮部材３５が１本ずつ設けられ，第３伸縮部材３６が複数本（具体的には２本）設けられている。
【００３４】
各伸縮部材３４〜３６は，吸収体３１の肌非対向面側に位置していればよく，例えば，吸収体３１とバックシート３３の間に固定することとしてもよいし，もしくはバックシート３３とカバーシート３８の間に固定することとしてもよい。図５に示した例では，各伸縮部材３４〜３６は，バックシート３３とカバーシート３８の間に配置されている。また，例えば，第１伸縮部材３４，第２伸縮部材３５，及び第３伸縮部材３６のうちのいずれか一つ又は二つをバックシート３３とカバーシート３８の間に配置し，残りを吸収体３１とバックシート３３の間に配置することも可能である。
【００３５】
図２及び図４（ｂ）に示されるように，第１伸縮部材３４及び第２伸縮部材３５は，股下部３から前身頃１及び後身頃２に亘って配置されおり，前身頃１及び後身頃２において交差している。符号Ｐ１は，第１伸縮部材３４と第２伸縮部材３５の前身頃１側における交点を示しており，符号Ｐ２は，第１伸縮部材３４と第２伸縮部材３５の後身頃２側における交点を示している。より具体的に説明すると，第１伸縮部材３４は，吸収体３１の左側縁寄りの領域に前端部３４ａ及び後端部３４ｂが位置し，股下部３における吸収体３１の右側縁寄りの領域に頂点部３４ｃが位置するように湾曲した曲線形状を呈している。また，第２伸縮部材３５は，吸収体３１の右側縁寄りの領域に前端部３５ａ及び後端部３５ｂが位置し，股下部３における吸収体３１の右側縁寄りの領域に頂点部３５ｃが位置するように湾曲した曲線形状を呈している。ここにいう「左側縁寄り領域」や「右側縁寄りの領域」とは，吸収体３１を幅方向に二等分する中央線よりも左側縁寄り又は右側縁寄りの領域であることを意味している。また，「前端部」とは各伸縮部材の前身頃側の端部を意味し，「後端部」とは各伸縮部材の後身頃側の端部を意味する。また，「頂点部」とは，最も幅方向の外側に位置する点（或いは線）を意味する。
【００３６】
図２等に示した実施形態では，第１伸縮部材３４は，前端部３４ａが吸収体３１の左側縁寄りの領域に位置し，そこから右側縁側に向かい，右側縁側の領域に位置する頂点部３４ｃにおいて折り返し，そこから左側縁側に向かい，後端部３４ｂが吸収体３１の左側縁寄りの領域に位置するように山なりに湾曲した弧状となる。第２伸縮部材３５は，前端部３５ａが吸収体３１の右側縁寄りの領域に位置し，そこから左側縁側に向かい，左側縁側の領域に位置する頂点部３５ｃにおいて折り返し，そこから右側縁側に向かい，後端部３５ｂが吸収体３１の右側縁寄りの領域に位置するように山なりに湾曲した弧状となる。このように，第１伸縮部材３４と第２伸縮部材３５は，吸収体３１を幅方向に二等分する中央線に対して線対称な形状となる。なお，第１伸縮部材３４と第２伸縮部材３５の形状は，上記した一つの頂点を持つ弧状に限定されず，例えば一つの頂点を持つ折線状であってもよい。
【００３７】
また，図に示した実施形態において，第１伸縮部材３４と第２伸縮部材３５は，吸収性本体３０の長手方向のほぼ全域に亘って配置されている。例えば，各伸縮部材３４，３５の前端部３４ａ，３５ａから幅方向と平行に延びる仮想線と後端部３４ｂ，３５ｂから幅方向と平行に延びる仮想線との間の長手方向における直線距離をαとし，吸収性本体３０の長手方向の長さをβとする。この場合に，直線距離αは，長さβに対して，７０〜１００％又は８０〜１００％であることが好ましく，８５〜１００％又は９０〜１００％であることが特に好ましい。
【００３８】
また，図に示した実施形態において，第１伸縮部材３４と第２伸縮部材３５は，吸収性本体３０の幅方向のほぼ全域に亘って配置されている。例えば，第１伸縮部材３４の頂点３４ｃから長手方向と平行に延びる仮想線と第２伸縮部材３５の頂点３５ｃから長手方向と平行に延びる仮想線との間の幅方向における直線距離をγとし，吸収性本体３０の幅方向の長さ（横幅）をδとする。この場合に，直線距離γは，横幅δに対して，７０〜１００％又は８０〜１００％であることが好ましく，８５〜１００％又は９０〜１００％であることが特に好ましい。
【００３９】
図２に示されるように，第１伸縮部材３４と第２伸縮部材３５の前身頃側の交点Ｐ１は，前身頃外装体１０と重なる位置に形成されている。特に，交点Ｐ１は，前身頃外装体１０の本体領域１２と重なる位置に形成されていることが好ましい。さらに，交点Ｐ１は，前身頃外装体１０の本体領域１２と吸収体３１とが重なる位置に形成されていることが好ましい。同様に，第１伸縮部材３４と第２伸縮部材３５の後身頃側の交点Ｐ２は，後身頃外装体２０と重なる位置に形成されている。特に，交点Ｐ２は，後身頃外装体２０の本体領域２２と重なる位置に形成されていることが好ましい。さらに，交点Ｐ２は，後身頃外装体２０の本体領域２２と吸収体３１とが重なる位置に形成されていることが好ましい。このように，第１伸縮部材３４と第２伸縮部材３５の交点Ｐ１と交点Ｐ２は，それぞれ，前身頃外装体１０と後身頃外装体２０のほぼ中央付近に位置することとなる。
【００４０】
また，例えば，交点Ｐ１から幅方向と平行に延びる仮想線と交点Ｐ２から幅方向と平行に延びる可能線との間の長手方向における直線距離をεとし，吸収性本体３０の長手方向の長さをβとする。この場合に，直線距離εは，長さβに対して，３０〜９０％，４０〜８５％，又は５０〜８０％とすることが好ましい。
【００４１】
上記のように，第１伸縮部材３４と第２伸縮部材３５を曲線状（又は折線状）に形成することで，股下部３を中心に，これら第１伸縮部材３４と第２伸縮部材３５によって囲われた囲繞領域３７が形成される。この囲繞領域３７は，一定の範囲を占める領域となる。
【００４２】
図２や図４（ｂ）に示されるように，囲繞領域３７内には，一又は複数の第３伸縮部材３６が配置されている。図に示した実施形態において，第３伸縮部材３６は，長手方向と平行に直線状に延びるように配置されており，また囲繞領域３７内に２本設けられている。各第３伸縮部材３６は，股下部３から前身頃１（前身頃外装体１０）及び後身頃２（後身頃外装体２０）に亘って配置される。
【００４３】
具体的に説明すると，第３伸縮部材３６は，前端部３６ａ（前身頃１側の端部）と後端部３６ｂ（後身頃２側の端部）を有する。図２に示されるように，第３伸縮部材３６の前端部３６ａは，少なくとも前身頃外装体１０の延出領域１３に達している。また，第３伸縮部材３６の後端部３６ｂも，少なくとも後身頃外装体２０の延出領域２３に達している。ただし，第３伸縮部材３６の前端部３６ａと後端部３６ｂは，前身頃外装体１０と後身頃外装体２０の延出領域１３，２３を超えて，本体領域１２，２２に達する長さを有していてもよい。例えば，第３伸縮部材３６の長手方向の長さは，前述した交点Ｐ１と交点Ｐ２の間の直線距離εに対して，５０〜１００％，６０〜９５％，又は７０〜９０％であることが好ましい。また，図２に示されるように，第３伸縮部材３６は，第１伸縮部材３４と第２伸縮部材３５との干渉を避けるために，これらの伸縮部材３４，３５と交差あるいは接触しないように配置されていることが好ましい。
【００４４】
図２に示されるように，第１伸縮部材３４，第２伸縮部材３５，第３伸縮部材３６は，それぞれ，前身頃外装体１０及び後身頃外装体２０に設けられたウエスト伸縮部材４３及びタミー伸縮部材４６となるべく交差あるいは接触しないように配置されていることが好ましい。少なくとも，第１伸縮部材３４と第２伸縮部材３５の交点Ｐ１，交点Ｐ２，及び第３伸縮部材３６は，ウエスト伸縮部材４３及びタミー伸縮部材４６と重ならないように配置すると良い。そのためには，例えば図２に示されるように，タミー伸縮部材４６を，幅方向の中央部分において伸縮性が発現されないように切断し，この幅方向の中央部分にタミー伸縮部材４６の伸縮性が発現されない非伸縮領域を設けるようにすればよい。
【００４５】
また，図２に示されるように，吸収体３１は，長手方向の中央部分に横幅の狭くなるくびれ部が形成された砂時計型（あるいは瓢箪型）で形成されている。この場合に，第１伸縮部材３４の頂点部３４ｃと第２伸縮部材３５の頂点部３５ｃは，それぞれ，吸収体３１のくびれ部の幅方向外側に位置していることが好ましい。つまり，第１伸縮部材３４の頂点部３４ｃと第２伸縮部材３５の頂点部３５ｃとを繋ぐように仮想線をひいたときに，その仮想線が吸収体３１のくびれ部を横断するようになる。なお，第１伸縮部材３４の頂点部３４ｃと第２伸縮部材３５の頂点部３５ｃは，吸収体３１とは重ならずに，吸収性本体３０を構成する他のシート部材と重なっている。このようにすることで，吸収体３１のくびれ部の左右側方におけるフィット性が向上する。
【００４６】
続いて，吸収性本体３０の立体ギャザーの構造について説明する。図４（ａ）及び図５に示されるように，トップシート３２の肌対向面側の幅方向左右両側には，長手方向の全体に亘って，一対のサイドシート３９が重ね合わされている。一対のサイドシート３９は，吸収体３１の両側縁に沿って起立して，尿の横漏れを防止する立体ギャザーを形成するためのシート部材である。このため，サイドシート３９は，液不透過性材料によって構成される。特に，サイドシート３９としては，撥水性と通気性を有するシート部材を採用することが好ましい。例えば，サイドシート３９としては，スパンボンド不織布（ＳＳ，ＳＳＳ等）や，ＳＭＳ不織布（ＳＭＳ，ＳＳＭＭＳ等），メルトブロー不織布等の柔軟性に優れた不織布に，シリコンなどによる撥水処理を施したものを好適に用いることができる。特にサイドシート３９としては，防水性及び通気性が高いＳＭＳやＳＭＭＳ等の不織布シートに撥水処理を施したものを用いることが好ましい。
【００４７】
一対のサイドシート３９は，それぞれ，接合線３９ａと，接合領域３９ｂと，起立領域３９ｃとからなる。サイドシート３９の接合線３９ａは，長手方向に沿って真っ直ぐに延びた直線状に形成されており，接合領域３９ｂと起立領域３９ｃの間の境界線となっている。また，サイドシート３９の接合線３９ａは，トップシート３２の肌対向面上に形成されている。
【００４８】
サイドシート３９の接合領域３９ｂは，接合線３９ａよりも幅方向の外側に位置する領域である。この接合領域３９ｂにおいて，サイドシート３９は，トップシート３２の肌対向面に全面的に接合されている。サイドシート３９とトップシート３２の接合には，ホットメルト接着剤などの公知の接着剤を用いてもよいし，熱シールや超音波シールなどによって融着させてもよい。
【００４９】
サイドシート３９の起立領域３９ｃは，接合線３９ａよりも幅方向の内側に位置する領域である。この起立領域３９ｃは，長手方向の中央に位置する自由部分と，前身頃１側と後身頃２側に位置する接合部分を持つ。サイドシート３９は，前後の接合部分においてトップシート３２の肌対向面上に接合され，中央の自由部分ではトップシート３２の肌対向面上に接合されていない。このため，サイドシート３９は，起立領域３９ｃの自由部分においてトップシート３２から離れており，自由に立ち上がることができるようになっている。
【００５０】
また，図５に示されるように，サイドシート３９の起立領域３９ｃは，幅方向内側の先端部分（端縁）が折り返されて，シート部材が２重に重なった折返部３９ｄを有することが好ましい。サイドシート３９の折返部３９ｄは，サイドシート３９の長手方向全体に亘って形成されている。折返部３９ｄは，サイドシート３９の内側端縁を，幅方向の内側に向かって折り返すようにして形成されたものであってもよい。また，図示は省略するが，折返部３９ｄは，サイドシート３９の内側端縁を，幅方向の外側に向かって折り返すようにして形成されたものであってもよい。このサイドシート３９の折返部３９ｄには，一又は複数の立体ギャザー伸縮部材６１を挟み込んで固定することができる。
【００５１】
立体ギャザー伸縮部材６１は，長手方向に沿った伸長状態で，サイドシート３９の折返部３９ｄに挟み込んで固定される。このようにして，各立体ギャザー伸縮部材６１が伸長状態で固定されていることで，これらの立体ギャザー伸縮部材６１が収縮したときに，サイドシート３９の起立領域３９ｃが長手方向に縮まる。これにより，サイドシート３９の起立領域３９ｃが，立体ギャザー伸縮部材６１の収縮力を利用して，トップシート３２の肌対向面から離れるように起立する。また，立体ギャザー伸縮部材６１が収縮すると，これを固定しているサイドシート３９の起立領域３９ｃに皺（ギャザー）が形成される。従って，サイドシート３９の自由部分によって，着用者の肌の方向に向かって起立する立体ギャザーが形成されることとなる。
【００５２】
ここで，図５に示されるように，第１伸縮部材３４と第２伸縮部材３５は，股下部３において，サイドシート３９の接合領域３９ｂと厚み方向に重なっていることが好ましい。特に，第１伸縮部材３４の頂点部３４ｃと第２伸縮部材３５の頂点部３５ｃがサイドシート３９の接合領域３９ｂと重なっていると良い。このような配置構成とすることで，第１伸縮部材３４と第２伸縮部材３５が収縮したときに，股下部３において，これらの伸縮部材３４，３５が，立体ギャザーを構成するサイドシート３９を根本部分から上方に向かって押し上げるように作用する。これにより，立体ギャザーの上縁部分が着用者の肌により密着するようになり，尿や便などが漏れ出すことを効果的に防止できる。
【００５３】
サイドシート３９の接合領域３９ｂの肌非対向面側には，長手方向と平行に延びる一又は複数のレッグ伸縮部材６２が配置されている。このレッグ伸縮部材６２が収縮すると，着用者の脚部周りにレッグギャザーが形成される。図５に示されるように，レッグ伸縮部材６２は，トップシート３２とバックシート３３の間に固定すればよい。また，図示は省略するが，レッグ伸縮部材６２は，サイドシート３９とトップシート３２の間や，バックシート３３とカバーシート３８の間に固定することもできる。
【００５４】
また，レッグ伸縮部材６２を固定する層は，第１伸縮部材３４や第２伸縮部材３５を固定する層とは異なることが好ましい。例えば，図５に示されるように，第１伸縮部材３４と第２伸縮部材３５とをバックシート３３とカバーシート３８の間の層に固定する場合，レッグ伸縮部材６２はトップシート３２とバックシート３３の間に層に固定するとよい。
【００５５】
続いて，前身頃外装体１０及び後身頃外装体２０におけるクッション部４０の構造について説明する。図３に示されるように，前身頃外装体１０と後身頃外装体２０（以下，併せて「外装体１０，２０」ともいう）は，クッション部４０を含んで構成されている。クッション部４０は，使い捨ておむつのウエスト開口部４の周縁に，ウエストギャザーを形成する手段であり，複数のシート部材と伸縮部材とから構成される。
【００５６】
図３の断面図に示されるように，クッション部４０は，肌対向面側に位置する内側シート４１と，肌非対向面側に位置する外側シート４２と，これらの内側シート４１と外側シート４２の間に固定された複数のウエスト伸縮部材４３及びタミー伸縮部材４６（これらを合わせて「弾性伸縮部材４３，４６」ともいう）とを含む。図３に示されるように，内側シート４１と外側シート４２は，共に，使い捨ておむつの長手方向の端縁を形成している。つまり，内側シート４１と外側シート４２は，使い捨ておむつのウエスト開口部４に沿った端縁を形成するものである。また，図２の平面図に示されているように，複数の弾性伸縮部材４３，４６は，使い捨ておむつの幅方向に沿って平行に延びている。また，複数の弾性伸縮部材４３，４６は，使い捨ておむつの長手方向に所定間隔をあけて配置されている。なお，図３に示した例において，内側シート４１と外側シート４２はそれぞれ分離されているが，これらのシート４１，４２は，繋がって一体的に形成されていてもよい。つまり，一枚のシート部材をウエスト端縁において折り返して，肌対向面側の部分を内側シート４１とし，肌非対向面側の部分を外側シート４２としてもよい。
【００５７】
複数の弾性伸縮部材４３，４６は，幅方向に沿って伸長した状態で，内側シート４１と外側シート４２の間に固定されている。このように，内側シート４１と外側シート４２の間に伸長状態にある弾性伸縮部材４３，４６が形成されているため，弾性伸縮部材４３，４６が収縮したときに，内側シート４１と外側シート４２に皺（ギャザー）が形成される。
【００５８】
さらに，クッション部４０は，内側シート４１の肌対向面側に配置されたクッション形成シート４４を含む。クッション形成シート４４は，使い捨ておむつの装着者の肌に直接触れるシート部材であり，内側シート４１の肌対向面側に，皺（ギャザー）を形成する機能を持つ。なお，クッション形成シート４４は，さらに，外側シート４２の肌非対向面側に配置されていてもよい。また，内側シート４１に重ねられたクッション形成シート４４と，外側シート４２に重ねられたクッション形成シート４４は，一体的に繋がっていてもよい。
【００５９】
図２に示されるように，クッション形成シート４４と内側シート４１の接合部５１は，おむつの幅方向（Ｘ方向）に沿って間欠的に形成されている。すなわち，クッション形成シート４４と内側シート４１は，おむつの幅方向に沿って，接合部５１と非接合部５２が交互に連続するようにして接合されている。接合部５１の幅方向の間隔は，例えば，５〜２０ｍｍ，６〜１８ｍｍ，又は７〜１６ｍｍの範囲であることが好ましい。接合部５１においては，ホットメルト接着剤等によってクッション形成シート４４と内側シート４１を接合することとしてもよいし，ヒートシールや超音波シールによってクッション形成シート４４と内側シート４１を融着してもよい。また，接合部５１は，基本的に，おむつの長手方向（Ｙ方向）に沿って直線的に形成されている。各接合部５１は，１本の直線状の接合線によって形成されていてもよい。また，各接合部５１は，複数の直線状又はドット状（点状）の接合点が長手方向（Ｙ方向）に間欠的に形成された接合点の郡によって形成されていてもよい。各接合部５１の横幅は，非接合部５２の幅よりも狭く，好ましくは非接合部５２の幅の１／２以下である。
【００６０】
弾性伸縮部材４３，４６は，内側シート４１と外側シート４２の間に，伸長状態で挟み込んで固定されている。また，クッション形成シート４４は，幅方向に間欠的に形成された接合部５１において，内側シート４１の肌対向面側に接合されている。弾性伸縮部材４３，４６の収縮に伴って，クッション形成シート４４に皺が形成される。つまり，弾性伸縮部材４３，４６が収縮すると，非接合部５２において，クッション形成シート４４が，内側シート４１から離れて，クッション形成シート４４と内側シート４１との間に，通気路（空間）が形成される。このような構造を，本願明細書では「フルート構造」と称している。このようにして，間欠的に形成された接合部５１の間において，通気路を形成することにより，弾性伸縮部材４３，４６を挟んでいる内側シート４１の硬さが，着用者の直接肌に伝わりにくくなる。また，「フルート構造」を形成することで，ウエストギャザー全体に通気性，柔軟性，及びクッション性を付与することができる。
【００６１】
また，本実施形態では，図３に示されるように，内側シート４１が，おむつの股下部３の方向へと延在している。そして，内側シート４１の一部は，吸収性本体３０の長手方向の端部の上（肌対向面）に重畳している。このように，内側シート４１の一部を吸収性本体３０に重畳させることで，吸収性本体３０が，外装体１０，２０にしっかりと固定されて，外れにくくなる。
【００６２】
また，外装体１０，２０は，インナーシート４５と，タミー伸縮部材４６と，をさらに含んで構成されている。すなわち，図３に示されるように，本実施形態において，外側シート４２は，股下部３の方向へと延在し，その一部が，吸収性本体３０の肌非対向面側に位置している。ここで，外側シート４２の延在部分の肌対向面側には，インナーシート４５が配置されている。そして，外側シート４２の延在部分とインナーシート４５との間には，一又は複数本のタミー伸縮部材４６が，挟んで固定されている。タミー伸縮部材４６は，弾性伸縮部材４３，４６と同様に，おむつの幅方向に沿った伸長状態で，外側シート４２の延在部分とインナーシート４５との間に固定される。
【００６３】
このように，本発明は，外装体１０，２０にフルート構造が形成されているものが好ましい形態である。ただし，フルート構造は任意の構成であり，本発明にとって必須なものではない。
【００６４】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【産業上の利用可能性】
【００６５】
本発明は，使い捨ておむつの製造業などにおいて好適に利用し得る。
【符号の説明】
【００６６】
１…前身頃                    ２…後身頃
３…股下部                    ４…ウエスト開口部
５…レッグ開口部              １０…前身頃外装体
１１…サイドシール部          １２…本体領域
１３…延出領域                ２０…後身頃外装体
２１…サイドシール部          ２２…本体領域
２３…延出領域                ３０…吸収性本体
３１…吸収体                  ３２…トップシート
３３…バックシート            ３４…第１伸縮部材
３４ａ…前端部                ３４ｂ…後端部
３４ｃ…頂点部                ３５…第２伸縮部材
３５ａ…前端部                ３５ｂ…後端部
３５ｃ…頂点部                ３６…第３伸縮部材
３６ａ…前端部                ３６ｂ…後端部
３７…囲繞領域                ３８…カバーシート
３９…サイドシート            ３９ａ…接合線
３９ｂ…接合領域              ３９ｃ…起立領域
３９ｄ…折返部                ４０…クッション部
４１…内側シート              ４２…外側シート
４３…ウエスト伸縮部材        ４４…クッション形成シート
４５…インナーシート          ４６…タミー伸縮部材
５１…接合部                  ５２…非接合部
６１…立体ギャザー伸縮部材    ６２…レッグ伸縮部材
１００…使い捨ておむつ
【図１】
2018202023.tif 000003
【図２】
2018202023.tif 000004
【図３】
2018202023.tif 000005
【図４】
2018202023.tif 000006
【図５】
2018202023.tif 000007